(57)【要約】【課題】 スペースの占有の有無を明確にすること。【解決手段】  カード挿入孔１８にプリペイドカード３０が挿入されると、プリペイドカード３０の時間情報がカードリーダ２４によって読み取られ、プリペイドカード３０に残時間があるときには使用許可信号がキー制御機構２８に出力され、スペースナンバーキー２２に対する移動の阻止が解除され、ユーザがスペースナンバーキー２２をキーロック位置２０ｂからキー挿入・取り出し位置２０ａに操作した、スペースナンバーキー２２をキー支持機構２０から取り出すことができる。このため、ユーザは、取り出したスペースナンバーキー２２を所持していれば、プリペイドカード３０の残時間がある間は、スペースナンバーキー２２に対応した椅子を自席として確保することができる。【選択図】        図１
2005092357.tif 000002
【特許請求の範囲】
【請求項１】
カード挿入孔に挿入されたカードから該カードに記録されている時間情報を読み取り、前記カードの利用有効時間を示す残時間があるときには使用許可信号を出力するとともに、前記残時間を時間の経過に従って書き換えるカードリーダと、キー挿入孔に挿入されたスペースナンバーキーを回動自在に支持してキー挿入・取り出し位置からキーロック位置への移動または前記キーロック位置から前記キー挿入・取り出し位置への移動を案内するキー支持機構と、前記キー支持機構に支持されたスペースナンバーキーが前記キーロック位置にあるときに前記カードリーダから使用許可信号が出力されていないときには前記スペースナンバーキーの移動を阻止し、前記カードリーダから使用許可信号が出力されているときには前記スペースナンバーキーに対する移動の阻止を解除するキー制御機構とを備えてなるスペース管理装置。
【請求項２】
請求項１に記載のスペース管理装置において、前記カード挿入孔にカードが挿入されたときに前記カードリーダから使用許可信号が出力されていることを条件に前記カードを保持して前記カード挿入孔からの排出を阻止し、前記キー支持機構に支持されたスペースナンバーキーが前記キー挿入・取り出し位置から前記キーロック位置に移動したときに前記保持されたカードを強制的に前記カード挿入孔から排出するカード保持機構を備えてなることを特徴とするスペース管理装置。
【請求項３】
請求項１または２に記載のスペース管理装置において、前記カード挿入孔に挿入されたカードが挿入状態に保持されていることを条件に消灯し、それ以外のときには点灯する表示灯を備えてなることを特徴とするスペース管理装置。
【請求項４】
請求項１〜３のいずれかに記載のスペース管理装置において、前記カード挿入孔に挿入されたカードの残時間を表示する表示器を備えてなることを特徴とするスペース管理装置。
【請求項５】
管理対象である各スペース毎に設置した請求項１〜４のいずれかに記載のスペース管理装置と、前記各スペース管理装置の管理結果を基に各スペースの利用状況を表示する表示装置とを備えてなることを特徴とするスペース管理システム。
【請求項６】
請求項５に記載のスペース管理システムにおいて、前記表示装置は、前記各スペースに配置されたスペース管理装置のカード挿入孔にカードが挿入された状態に保持されていることを条件に前記各スペースが利用されていることを表示し、それ以外のときには前記各スペースが利用されていないことを表示してなることを特徴とするスペース管理システム。
【発明の詳細な説明】
【技術分野】
【０００１】
本発明は、スペース管理装置およびスペース管理システムに係り、特に、サウナ、カプセルホテル、温浴施設等における休憩スペースを有効に運用するに好適なスペース管理装置およびスペース管理システムに関する。
【背景技術】
【０００２】
サウナ、カプセルホテル、温浴施設等には休憩スペースが設けられており、休憩スペースには無料のリクライニングチェア等が設置されている。サウナ等に無料のリクライニングチェア等を設置することで、利用者に対するサービスの向上を図ることができる。
【発明の開示】
【発明が解決しようとする課題】
【０００３】
しかし、従来のリクライニングチェア等は何ら管理されていないので、利用者同士の間で席取りのトラブルが発生することがある。
【０００４】
例えば、利用者がリクライングチェアの上に雑誌や持ち物等を置いたまま席を立った後、その置物を他の利用者が移動したり、あるいは勝手に投げ捨てたりしたときに、利用者間でトラブルが発生することがある。
【０００５】
本発明は、前記従来の課題に鑑みて為されたものであり、その目的は、スペースの占有の有無を明確にすることができるスペース管理装置およびスペース管理システムを提供することにある。
【課題を解決するための手段】
【０００６】
前記目的を達成するために、請求項１に係るスペース管理装置においては、カード挿入孔に挿入されたカードからガイカードに記録されている時間情報を読み取り、前記カードの利用有効時間を示す残時間があるときには使用許可信号を出力するとともに、前記残時間を時間の経過に従って書き換えるカードリーダと、キー挿入孔に挿入されたスペースナンバーキーを回動自在に支持してキー挿入・取り出し位置からキーロック位置への移動または前記キーロック位置から前記キー挿入・取り出し位置への移動を案内するキー支持機構と、前記キー支持機構に支持されたスペースナンバーキーが前記キーロック位置にあるときに前記カードリーダから使用許可信号が出力されていないときには前記スペースナンバーキーの移動を阻止し、前記カードリーダから使用許可信号が出力されているときには前記スペースナンバーキーに対する移動の阻止を解除するキー制御機構とを備えて構成した。
【０００７】
（作用）カード挿入孔にカードが挿入されると、カードに記録されている時間情報がカードリーダによって読み取られ、カードの時間情報に残時間があるときには使用許可信号がキー制御機構に出力され、スペースナンバーキーに対する移動の阻止が解除された状態（アンロック状態）となる。そこで、ユーザがスペースナンバーキーをキーロック位置からキー挿入・取り出し位置に操作れば、スペースナンバーキーをキー支持機構から取り出すことができる。そして、取り出されたスペースナンバーキーをユーザが所持することで、ユーザはスペースナンバーキーに対応した指定のスペースの占有権を主張することができる。
【０００８】
一方、カード挿入孔に挿入されたカードの時間情報に残時間がないとき（残時間が０のとき）又はカード挿入孔にカードが挿入されないときには、使用許可信号が出力されず、スペースナンバーキーの移動は阻止された状態（ロック状態）にあり、キーロック位置にあるスペースナンバーキーをキー支持機構から取り出すことはできない。すなわち、この場合は、誰もスペースナンバーキーに対応した指定のスペースの占有権を主張することはできない。
【０００９】
従って、ユーザは、カードをカード挿入孔に挿入した後、スペースナンバーキーを操作して取り出し、取り出したスペースナンバーキーを所持していれば、カードの残時間がある間は、スペースナンバーキーに対応したスペースを自席として確保することができ、いつでも自席から離れたり、自席に戻ったりすることができる。
【００１０】
請求項２においては、請求項１に記載のスペース管理装置において、前記カード挿入孔にカードが挿入されたときに前記カードリーダから使用許可信号が出力されていることを条件に前記カードを保持して前記カード挿入孔からの排出を阻止し、前記キー支持機構に支持されたスペースナンバーキーが前記キー挿入・取り出し位置から前記キーロック位置に移動したときに前記保持されたカードを強制的に前記カード挿入孔から排出するカード保持機構を備えて構成した。
【００１１】
（作用）カード挿入孔に挿入されたカードの時間情報に残時間があって、カードリーダから使用許可信号が出力されたときには、カードがカード支持機構に保持され、カード挿入孔からの排出が阻止される。この後、ユーザにより、スペースナンバーキーがキー支持機構のキー挿入位置に挿入され、スペースナンバーキーがキー挿入位置からキーロック位置に操作されると、カードが強制的にカード挿入孔から排出され、カードをカード挿入孔から取り出すことができる。このとき、スペースナンバーキーの移動は阻止された状態（ロック状態）にあり、キーロック位置にあるスペースナンバーキーをキー支持機構から取り出すことはできない。
【００１２】
請求項３においては、請求項１または２に記載のスペース管理装置において、前記カード挿入孔に挿入されたカードが挿入状態に保持されていることを条件に消灯し、それ以外のときには点灯する表示灯を備えて構成した。
【００１３】
（作用）表示灯が点灯しているときには、スペースが占有されていない旨が表示され、表示灯が消灯したときには、スペースが既に占有されていることが示される。このため、スペースナンバーキーを所持しない者がスペースを利用するのを抑制したり、スペースを誤って利用した者に対して退席を促したりすることが容易になる。
【００１４】
請求項４においては、請求項１〜３のいずれかに記載のスペース管理装置において、前記カード挿入孔に挿入されたカードの残時間を表示する表示器を備えて構成した。
【００１５】
（作用）表示器にはカードの残時間が表示されるので、ユーザは、スペースを利用する時間がどの位残っているかを把握することができる。
【００１６】
請求項５に係るスペース管理システムにおいては、管理対象である各スペース毎に設置した請求項１〜４のいずれかに記載のスペース管理装置と、前記各スペース管理装置の管理結果を基に各スペースの利用状況を表示する表示装置とを備えるように構成した。
【００１７】
（作用）各スペースに配置されたスペース管理装置の管理結果を表示装置に表示することで、各スペースの利用状況を把握することができる。
【００１８】
請求項６においては、請求項５に記載のスペース管理システムにおいて、前記表示装置は、前記各スペースに配置されたスペース管理装置のカード挿入孔に挿入されたカードが保持されていることを条件に前記各スペースが利用されていることを表示し、それ以外のときには前記各スペースが利用されていないことを表示するように構成した。
【００１９】
（作用）各スペースの利用の有無が表示されるので、各スペースの利用状況を把握することができる。
【発明の効果】
【００２０】
請求項１に係るスペース管理装置によれば、取り出したスペースナンバーキーを所持していれば、カードの残時間がある間は、スペースナンバーキーに対応したスペースを自席として確保することができ、いつでも自席から離れたり、自席に戻ったりすることができる。
【００２１】
請求項２によれば、スペースの利用を終了するときには、カードをカード挿入孔から取り出すことができる。
【００２２】
請求項３によれば、スペースナンバーキーを所持しない者がスペースを利用するのを抑制したり、スペースを誤って利用した者に対して退席を促したりすることが容易になる。
【００２３】
請求項４によれば、スペースを利用する時間がどの位残っているかを把握することができる。
【００２４】
請求項５に係るスペース管理システムよれば、各スペースの利用状況を把握することができる。
【００２５】
請求項６によれば、各スペースの利用状況を把握することができる。
【発明を実施するための最良の形態】
【００２６】
以下、本発明の好ましい実施の形態に付き、添付図面を参照して詳細に説明する。図１は、本発明の一実施例を示すスペース管理装置の正面斜視図であり、図２は、このスペース管理装置のブロック構成図である。
【００２７】
本実施例のスペース管理装置１０は、例えば、サウナ、カプセルホテル、温浴施設等の休憩スペースに設置された椅子等の近傍に配置されるか、または椅子に直接取り付けられて配置されており、正面パネル１０ａには、キー挿入孔１２、表示灯１４、表示器１６、カード挿入孔１８が設けられている。キー挿入孔１２はキー支持機構２０の一要素として構成されており、キー挿入孔１２には、休憩スペースの椅子の番号と同じ番号が付されたスペースナンバーキー２２が着脱自在に装着されている。
【００２８】
キー支持機構２０には、キー挿入・キー取り出し位置２０ａとキーロック位置２０ｂが設定されており、このキー支持機構２０は、キー挿入孔１２に挿入されたスペースナンバーキー２２を回動自在に支持してキー挿入・取り出し位置２０ａからキーロック位置２０ｂへの移動またはキーロック位置２０ｂからキー挿入・取り出し位置２０ａへの移動を案内するように構成されており、スペースナンバーキー２２の位置情報がカードリーダ２４のカード保持機構２６に入力されるようになっている。
【００２９】
また、キー支持機構２０に支持されたスペースナンバーキー２２は、キーロック位置２０ｂにあるときには、キー制御機構２８によってその移動が制御されるようになっている。すなわち、キー制御機構２８は、スペースナンバーキー２２がキーロック位置２０ｂにあるときに、カードリーダ２４から使用許可信号が出力されていないときにはスペースナンバーキー２２のキー挿入・取り出し位置２０ｂ側への移動を阻止（ロック）し、カードリーダ２４から使用許可信号が出力されているときにはスペースナンバーキー２２に対する移動の阻止を解除（アンロック）するように構成されている。なお、図１は、キー挿入孔１２にキー２２を挿入して、ロック位置まで回した状態を示している。
【００３０】
カード挿入孔１８は、カードリーダ２４の一要素として構成されており、カードリーダ２４は、カード挿入孔１８にカードとして、例えば、プリペイドカード３０が挿入されたときに、プリペイドカード３０の時間情報を読み取り、プリペイドカード３０の利用有効時間を示す残時間があるときには使用許可信号を出力するとともに、残時間を時間の経過に従って、例えば、１分毎に書き換えるように構成されている。また、残時間を示す信号がカードリーダ２４から表示器１６に出力されており、表示器１６には残時間が表示されるようになっている。
【００３１】
また、カード保持機構２６は、カード挿入孔１８にプリペイドカード３０が挿入されたときに、カードリーダ２４から使用許可信号が出力されていることを条件にプリペイドカード３０を保持してカード挿入孔１８からの排出を阻止し、キー支持機構２０に支持されたスペースナンバーキー２２がキー挿入・取り出し位置２０ａからキーロック位置２０ｂに移動したときに、保持されたプリペイドカード３０を強制的にカード挿入孔１８から排出するように構成されている。
【００３２】
また、表示灯１４は、カード挿入孔１８に挿入されたプリペイドカード３０がカード保持機構２４によって保持されていることを条件に消灯し、それ以外のときには点灯するように構成されている。
【００３３】
次に、本実施例の作用を説明する。まず、椅子が占有されず、スペースナンバーキー２２がキーロック位置２０ｂにあるときに、カード挿入孔１８にプリペイドカード３０が挿入されると、プリペイドカード３０の時間情報がカードリーダ２４によって読み取られ、プリペイドカード３０に残時間があるときには使用許可信号がキー制御機構２８に出力され、スペースナンバーキー２２に対する移動の阻止が解除された状態（アンロック状態）となるとともに、残時間が表示器１６に表示され、また、表示灯１４が消灯する。このとき、ユーザ（利用者）がスペースナンバーキー２２をキーロック位置２０ｂからキー挿入・取り出し位置２０ａに操作すると、スペースナンバーキー２２をキー支持機構２０から取り出すことができる。このため、ユーザは、取り出したスペースナンバーキー２２を所持していれば、プリペイドカード３０の残時間がある間は、スペースナンバーキー２２に対応した椅子（スペース）を自席として確保することができ、いつでも自席から離れたり、自席に戻ったりすることができる。また、ユーザは、スペースナンバーキー２２を所持することで、スペースナンバーキー２２に対応した指定の椅子の占有権を主張することができる。
【００３４】
また、ユーザが椅子の利用を終えるときには、スペースナンバーキー２２をキー支持機構２０のキー挿入・取り出し位置２０ａに挿入した後、キーロック位置２０ｂ側に操作すると、スペースナンバーキー２２の移動が阻止されるとともに、プリペイドカード３０がカード挿入孔１８から排出される。このため、ユーザは返却されたプリペイドカード３０を所持することができる。
【００３５】
一方、カード挿入孔１８に挿入されたプリペイドカード３０の残時間が０のとき又はカード挿入孔１８にプリペイドカード３０が挿入されてないときには、カードリーダ２４からキー支持機構２８に対して使用許可信号が出力されず、スペースナンバーキー２２の移動は阻止された状態（ロック状態）にある。この場合、キーロック位置２０ｂにあるスペースナンバーキー２２をキー支持機構２０から取り出すことはできない。すなわち、この場合は、ユーザは誰もスペースナンバーキー２２に対応した指定の椅子（スペース）の占有権を主張することはできない。
【００３６】
本実施例によれば、ユーザは、プリペイドカード３０をカード挿入孔１８に挿入した後、スペースナンバーキー２２を操作してキー支持機構２０から取り出し、取り出したスペースナンバーキー２２を所持していれば、プリペイドカード３０の残時間がある間は、スペースナンバーキー２２に対応した椅子（スペース）を自席として確保することができ、いつでも自席から離れたり、自席に戻ったりすることができる。
【００３７】
次に、このスペース管理装置１０をサウナなどの施設におけるスペース管理システムに適用したときの実施例を図３に従って詳細に説明する。
【００３８】
スペース管理システムは、休憩スペースとしてのブース３２ａ、３２ｂ、３２ｃ、３２ｄを管理対象として、各ブース３２ａ〜３２ｄに取り付けられたスペース管理装置１０と、例えばフロントに設置された表示装置３４とを備えて構成されており、各スペース管理装置１０は信号線３６を介して表示装置３４に接続されている。
【００３９】
表示装置３４は、各ブース３２ａ〜３２ｄのナンバリングに対応してナンバリングされた表示ボード３４ａ、３４ｂ、３４ｃ、３４ｄを備えており、各表示ボード３４ａ〜３４ｄには、各スペース管理装置１０の管理結果を基に各ブース３２ａ〜３２ｄの利用状況が表示されるようになっている。
【００４０】
具体的には、表示ボード３４ｃには、ブース３２ｃに配置されたスペース管理装置１０のカード挿入孔１８に挿入されたプリペイドカード３０がカード保持機構２６によって保持されていることを条件にブース３２ｃが利用されていることが「×」で表示され、表示ボード３４ａ、３４ｂ、３４ｄには、ブース３２ａ、３２ｂ、３２ｄに配置されたスペース管理装置１０のカード挿入孔１８にプリペイドカード３０が挿入されていないことを条件にブース３２ａ、３２ｂ、３２ｄが利用されていないことが「○」で表示される。
【００４１】
このため、システムの管理者は、各表示ボード３２ａ〜３２ｄを見ることで、各ブース３２ａ〜３２ｄの利用状況（使用状況）を一目で把握することができる。
【００４２】
また、各ブース３２ａ〜３２ｄの利用状況が各表示ボード３２ａ〜３２ｄに表示されているので、空いているブース３２ａなどに勝手に物等を置いて席を確保するのを抑制することができる。
【００４３】
さらに、各ブースに対応したスペースナンバーキー２２を所持していないユーザがブースを利用しているときには、退席を促し易い。
【００４４】
また、各ブース３２ａ〜３２ｄにＴＶなどの電気機器を設置したときに、カードリーダ２４から使用許可信号が出力されていることを条件に、電気機器をオンにし、それ以外のときには電気機器をオフにすることもできる。
【００４５】
また、表示装置３４をフロント以外の例えばブールエリアの近傍にも設置すれば、ユーザにとってもブースの空き具合を一目で確認できて、非常に便利である。
【図面の簡単な説明】
【００４６】
【図１】本発明の一実施例であるスペース管理装置の正面斜視図である。
【図２】同スペース管理装置のブロック構成図である。
【図３】本発明の他の実施例であるスペース管理システムの構成図である。
【符号の説明】
【００４７】
１０ スペース管理装置
１０ａ 正面パネル
１２ キー挿入孔
１４ 表示灯
１６ 表示器
１８ カード挿入孔
２０ キー支持機構
２２ スペースナンバーキー
２４ カードリーダ
２６ カード保持機構
２８ キー制御機構
３０ プリペイドカード
３２ａ、３２ｂ、３２ｃ、３２ｄ ブース
３４ 表示装置
３４ａ、３４ｂ、３４ｃ、３４ｄ 表示ボード
【図１】
2005092357.tif 000003
【図２】
2005092357.tif 000004
【図３】
2005092357.tif 000005